(57)【要約】【課題】予約録画の待機中に録画再生を行っても、予約時間になると頭出し位置から録画を開始することができる録画再生装置を提供すること。【解決手段】オートモードの時は、テープの録画開始位置にＶＡＳＳ信号を記録し、予約録画開始時刻の所定時間前にテープのＶＡＳＳ信号を再生し録画開始位置を頭出しし、予約録画開始時刻になると予約番組の録画を開始する。【選択図】      図３
2006140948.tif 000002
【特許請求の範囲】
【請求項１】
第１、第２モードを指定する手段と、
前記第１モード時は、予め設定した開始時刻まで録画再生を禁止し、前記開始時刻から予め設定した終了時刻まで予め設定した放送番組を録画する第１予約録画手段と、
前記第２モード時は、記録媒体の録画開始位置に識別信号を記録し、前記開始時刻の所定時間前に記録媒体の識別信号を再生し録画開始位置を頭出しし、前記開始時刻から予め設定した終了時刻まで予め設定した放送番組を録画する第２予約録画手段と、
を具備する録画再生装置。
【請求項２】
前記識別信号は予め設定した複数の放送番組毎に異なることを特徴とする請求項１記載の録画再生装置。
【請求項３】
予め設定した開始時刻まで録画再生を禁止し、前記開始時刻から予め設定した終了時刻まで予め設定した放送番組を録画する第１予約録画手段と、
前記第１予約録画手段を動作させるか否かを選択する手段と、
前記選択手段の選択自体を有効とするか無効とするかを指定する手段と、
を具備する録画再生装置。
【請求項４】
前記指定手段が前記選択手段の選択自体を無効と指定している状態で前記選択手段が前記第１予約録画手段を動作させることを選択すると、記録媒体の録画開始位置に識別信号を記録し、前記開始時刻の所定時間前に記録媒体の識別信号を再生し録画開始位置を頭出しし、前記開始時刻から予め設定した終了時刻まで予め設定した放送番組を録画する第２予約録画手段をさらに具備する請求項３記載の録画再生装置。
【請求項５】
前記識別信号は予め設定した複数の放送番組毎に異なることを特徴とする請求項４記載の録画再生装置。
【請求項６】
開始時刻、終了時刻、チャンネル情報を記憶する手段と、
記録媒体の録画開始位置に識別信号を記録する手段と、
前記記憶手段に記憶された開始時刻の所定時間前に記録媒体の識別信号を再生し録画開始位置を頭出しする手段と、
前記記憶手段に記憶された開始時刻から終了時刻までチャンネル情報に応じた放送番組を録画する予約録画手段と、
前記記憶手段に記憶された開始時刻まで録画再生を禁止する手段と、
前記禁止手段を有効とするか無効とするかを指定する手段と、
前記指定手段が前記禁止手段を無効と指定している場合は、前記識別信号記録手段と前記頭出し手段と前記予約録画手段を動作させ、前記指定手段が前記禁止手段を有効と指定している場合は、前記禁止手段と前記予約録画手段を動作させる制御手段と、
を具備する録画再生装置。
【請求項７】
予約番組に応じたインデックス信号を生成する処理部と、放送信号と前記インデックス信号を磁気テープに記録するテープドライブ部と、録画再生制御部とを有する本体と、
前記本体用のメイン電源部と、
前記インデックス信号を伴う予約録画情報を記憶する手段と、時刻を計時する手段と、予約録画待機を指示するユーザ操作部材と、前記操作部材の指示を有効とするか無効とするかを指定する手段と、前記操作部材の指示が有効とされている時に前記ユーザ操作部材が操作されると、予約録画開始時まで前記メイン電源部をオフし、前記操作部材の指示が無効とされている時に前記ユーザ操作部材が操作されると、最初の予約番組に応じたインデックス信号を磁気テープに記録し、予約録画開始の所定時間前に前記磁気テープのインデックス信号を再生して録画開始位置を頭出しする予約待機制御手段と、
予約録画開始時になると前記予約録画情報に応じた番組情報を磁気テープに記録する予約録画手段と、
を具備する録画再生装置。
【請求項８】
前記予約録画手段は予約番組に応じたインデックス信号を再生できない場合は、エラーメッセージを出力することを特徴とする請求項７記載の録画再生装置。
【請求項９】
前記予約録画手段は前記予約録画情報に応じた番組情報の記録が終了すると次の予約番組に応じたインデックス信号を磁気テープに記録することを特徴とする請求項７記載の録画再生装置。
【請求項１０】
第１、第２モードを指定するステップと、
前記第１モード時は、予め設定した開始時刻まで録画再生を禁止し、前記開始時刻から予め設定した終了時刻まで予め設定した放送番組を録画する第１予約録画ステップと、
前記第２モード時は、記録媒体の録画開始位置に識別信号を記録し、前記開始時刻の所定時間前に記録媒体の識別信号を再生し録画開始位置を頭出しし、前記開始時刻から予め設定した終了時刻まで予め設定した放送番組を録画する第２予約録画ステップと、
を具備する録画制御方法。
【請求項１１】
開始時刻、終了時刻、チャンネル情報を記憶するステップと、
記録媒体の録画開始位置に識別信号を記録するステップと、
前記記憶ステップで記憶された開始時刻の所定時間前に記録媒体の識別信号を再生し録画開始位置を頭出しするステップと、
前記記憶ステップで記憶された開始時刻から終了時刻までチャンネル情報に応じた放送番組を録画する予約録画ステップと、
前記記憶ステップで記憶された開始時刻まで録画再生を禁止するステップと、
前記禁止ステップを有効とするか無効とするかを指定するステップと、
前記指定ステップで前記禁止ステップを無効と指定している場合は、前記識別信号記録ステップと前記頭出しステップと前記予約録画ステップを動作させ、前記指定ステップで前記禁止ステップを有効と指定している場合は、前記禁止ステップと前記予約録画ステップを動作させる制御ステップと、
を具備する録画制御方法。
【請求項１２】
予約番組に応じたインデックス信号を生成する処理部と、放送信号と前記インデックス信号を磁気テープに記録するテープドライブ部と、録画再生制御部とを有する本体と、
前記本体用のメイン電源部と、
前記インデックス信号を伴う予約録画情報を記憶する手段と、時刻を計時する手段と、予約録画待機を指示するユーザ操作部材と、前記操作部材の指示を有効とするか無効とするかを指定する手段とを具備する予約待機制御手段と、
予約録画開始時になると前記予約録画情報に応じた番組情報を磁気テープに記録する予約録画手段と、
を具備する録画再生装置の録画制御方法において、
前記操作部材の指示が有効とされている時に前記ユーザ操作部材が操作されると、予約録画開始時まで前記メイン電源部をオフし、
前記操作部材の指示が無効とされている時に前記ユーザ操作部材が操作されると、最初の予約番組に応じたインデックス信号を磁気テープに記録し、予約録画開始の所定時間前に前記磁気テープのインデックス信号を再生して録画開始位置を頭出しすることを特徴とする録画制御方法。
【請求項１３】
前記予約番組に応じたインデックス信号を再生できない場合は、エラーメッセージを出力することを特徴とする請求項１２記載の録画制御方法。
【請求項１４】
前記予約録画手段は前記予約録画情報に応じた番組情報の記録が終了すると次の予約番組に応じたインデックス信号を磁気テープに記録することを特徴とする請求項１２記載の録画制御方法。
【発明の詳細な説明】
【技術分野】
【０００１】
本発明は予約録画機能を有する録画再生装置及び録画制御方法に関する。
【背景技術】
【０００２】
一般に、ビデオテープレコーダ等の録画再生装置は予約録画機能を有している。録画開始時刻、録画終了時刻、チャンネル等を予約情報記憶部に予め記憶する。ビデオテープをビデオテープレコーダに装填してから録画開始位置を頭出しし、タイマ入／切ボタンを押しタイマ待機モードにすると、メイン電源がオフになる。このため、タイマ待機モードになると、通常の動作は禁止され、録画開始時刻が来るまで一切の録画再生操作を受け付けない。これは、予約録画のために頭出しをした後、再生／録画動作を行い頭出しした録画開始位置がずれることを防ぐためである。しかし、タイマ待機モードでは、予約時刻までビデオテープレコーダが一切使えないことになり、利便性に欠けるきらいがある。
【０００３】
なお、タイマ待機モードでタイマ入／切ボタンを押すと、タイマ待機モードがクリアされ、メイン電源がオンになり、録画再生動作が可能となる。しかし、再生の結果、頭出し位置がずれて、録画済みの部分に予約番組を上書きしてしまう恐れがある。また、特に他人が同じテープに他の番組を録画してテープの残量が足りなくなり、予約番組が録画できなくなる恐れもある。さらに、タイマ待機モードをクリアした後、タイマ入／切ボタンを押してタイマ待機モードに戻すことを忘れると、せっかくの予約が無駄になることとなる。
【０００４】
一方、テープの録画場所を自由に設定できるビデオデッキが開発されている（例えば、特許文献１参照）。ここでは、テープの録画場所、録画順序を自由に設定するために、テープの移動した長さをカウントするカウンタを設け、テープの移動量を数値ではなくテープに録画するときの録画時間値で表す。録画を予約する時に、録画開始時間・終了時間、チャンネルに加えて所望の録画開始位置（録画時間値）も入力する（記憶させる）。録画開始前には、テープを巻頭の位置にしておき、録画開始時間になるとテープを早送りし録画開始位置の時間にテープを進めてから録画を開始する。録画開始と同時に、ＶＩＳＳで規定した録画開始位置のデータをテープに記録する。録画が終了すると、再びテープを巻頭に巻戻し、次の予約番組の録画開始時間になるとテープを早送りし録画開始位置の時間に進めてから録画を開始することを繰り返す。
【０００５】
しかし、この文献は録画の順番を前後することを目的とするものであり、毎日放送される複数のテレビドラマを１本のテープにタイトルごとに分けて、かつ各タイトルの毎日の録画は連続して録るものである。この文献では予約録画が終了すると、必ずテープを巻頭に巻戻して、予約録画の開始時に指定の録画開始位置までテープを進める作業が必要であり、煩雑で手間がかかるという問題がある。しかも、この文献はタイマ待機モードに設定した後一時的に録画再生動作を許可する思想を開示していない。
【特許文献１】特開平６−２１５４４１号公報（段落０００８、図１）
【発明の開示】
【発明が解決しようとする課題】
【０００６】
このように従来の予約録画機能では、記憶媒体を頭出ししてタイマ待機モードとした後はメイン電源をオフとし、通常の動作を禁止し、録画開始時刻が来るまで録画再生操作を受け付けないので、利便性が犠牲になっていた。
【０００７】
本発明の目的は予約録画の待機中に録画再生を行っても、予約時間になると頭出し位置から録画を開始することができる録画再生装置及び録画制御方法を提供することにある。
【課題を解決するための手段】
【０００８】
上記した課題を解決し目的を達成するために、本発明は以下に示す手段を用いている。
【０００９】
録画再生装置は、第１、第２モードを指定する手段と、前記第１モード時は、予め設定した開始時刻まで録画再生を禁止し、前記開始時刻から予め設定した終了時刻まで予め設定した放送番組を録画する第１予約録画手段と、前記第２モード時は、記録媒体の録画開始位置に識別信号を記録し、前記開始時刻の所定時間前に記録媒体の識別信号を再生し録画開始位置を頭出しし、前記開始時刻から予め設定した終了時刻まで予め設定した放送番組を録画する第２予約録画手段とを具備する。
【００１０】
録画制御方法は、第１、第２モードを指定するステップと、前記第１モード時は、予め設定した開始時刻まで録画再生を禁止し、前記開始時刻から予め設定した終了時刻まで予め設定した放送番組を録画する第１予約録画ステップと、前記第２モード時は、記録媒体の録画開始位置に識別信号を記録し、前記開始時刻の所定時間前に記録媒体の識別信号を再生し録画開始位置を頭出しし、前記開始時刻から予め設定した終了時刻まで予め設定した放送番組を録画する第２予約録画ステップとを具備する。
【発明の効果】
【００１１】
以上説明したように本発明によれば、予約録画の待機中に頭出し位置を保存するので、待機中に録画再生をすることができ、予約時間になると頭出し位置から正しく録画を開始することができる。
【発明を実施するための最良の形態】
【００１２】
以下、図面を参照して本発明による録画再生装置の実施の形態を説明する。
【００１３】
第１の実施の形態
図１は第１の実施形態に係る録画再生装置を示す概略構成図である。ここでは、一例としてビデオテープレコーダを説明するが、本発明はこれに限定されない。主に、本装置は本体部分２０とタイマ部分３０とからなり、タイマ部分３０はスタンバイ電源部１２により動作され、本体部分２０はメイン電源部１１により動作される。メイン電源部１１はタイマ部分３０内の予約録画制御部８により制御される。タイマ待機モードではメイン電源部１１はオフとなり、本体部分２０は動作不能である。スタンバイ電源部１２はタイマ待機モードでもオンである。
【００１４】
本体部分２０はアンテナ１に接続されるチューナ２、本体部分２０内の各部を制御する録画再生制御回路３、磁気テープＭの録画・記録・再生を行うテープドライブ部４からなる。テープドライブ部４の出力が映像・音声出力部１０（例えば、ＣＲＴモニタ、ＬＣＤパネル、スピーカ）に供給される。
【００１５】
録画再生制御回路３は予約録画情報に対応した第１の位置情報を生成し、タイマ部分３０内の予約録画情報記憶部７に記憶させる位置情報生成記憶処理部３ａ、第１の位置情報に対応した第２の位置情報を生成し、磁気テープＭに記録させる位置情報生成記録処理部３ｂ、および第１の位置情報と第２の位置情報を比較し、一致信号を出力させる録画開始位置情報比較処理部３ｃから構成される。
【００１６】
テープドライブ部４は映像・音声信号を磁気テープＭの映像・音声トラックに記録する録画部４ａ、ＶＩＳＳ／ＶＡＳＳ方式で規定した録画開始位置情報を磁気テープＭのコントロールトラックに記録する記録部４ｂ、録画部４ａと記録部４ｂとにより記録した情報を再生する再生部４ｃ、および信号処理部４ｄから構成される。
【００１７】
ＶＩＳＳとはVHS（登録商標） Index Search Systemの略であり、コントロールパルスのデューティ比を変化させることによってインデックス信号をテープ上のコントロールトラックに打ち込むシステムである。録画時でも再生時でも打ち込みが可能で、何度でも消去できる。考え方の前身は、ベータ（登録商標）方式のインデックスサーチシステムである。
【００１８】
ＶＡＳＳとはVHS（登録商標） Adress Search Systemの略であり、コントロールパルスのデューティ比を変化させてコントロールトラックに打ち込むのはＶＩＳＳと同様であるが、ＶＩＳＳのインデックス信号は単に変化を示すものであるが、ＶＡＳＳのインデックス信号は変化の位置までを示すことができるという違いがある。ＶＡＳＳによれば、最大４桁までの数字が打ち込める。これにより、自由にテープの頭出しが可能である。
【００１９】
タイマ部分３０はタイマ待機モードとされると、本体部分２０を動作不能とするためにメイン電源部１１をオフして、予約録画開示時刻になると本体部分２０を動作可能とするためにメイン電源部１１をオンして、予約録画をさせるものである。タイマ部分３０はタイマ待機モードへの移行／クリアを指定するタイマ入／切ボタン１５と、タイマ入／切ボタン１５の操作を「有効」／「無効」にするかを設定するタイマ待機設定部５と、録画を予約したいＴＶ放送番組のチャンネル及び放送予定時刻（開始時刻及び終了時刻）等の予約録画情報を入力する予約録画情報入力部６と、入力した予約録画情報や録画開始位置情報を記憶する予約録画情報記憶部７と、時刻を計測するタイマ９と、これらの各部と接続され各部を制御するとともに、メイン電源部１１と録画再生制御回路３にも接続されこれらを制御する予約録画制御部８とからなる。
【００２０】
次に実施形態の動作について説明する。放送番組を予約録画する録画システムは、磁気テープＭが記録開始位置まで頭出しされた後、録画したいＴＶ放送番組のチャンネル及び放送予定時刻（開始時刻及び終了時刻）が設定されると、録画開始時刻にメイン電源部１１をオンし、所定のＴＶチャンネルで放送される番組を予め設定された時間だけ録画し、録画終了時刻にメイン電源部１１をオフするように録画動作を制御する。
【００２１】
電波を介して放送を受信した場合、その放送された情報はアンテナ１から録画再生装置の本体部分２０に入力される。アンテナ１から入力された情報はチューナ２によって各放送局の周波数に同調され、特定の放送局からの放送内容（映像、音声、音声モード情報、文字放送等）が得られる。これらの情報は、信号処理部４ｄによってテープ上に記録するべき情報に変換され、録画部４ａを通して磁気テープＭに記録される。テープドライブ部４への録画の指示は録画再生装置の録画ボタン（図示せず）によりユーザが行う。録画ボタンは装置前面にも設けられるが、通常はリモコン装置（図示せず）に設けられる。ただし、上述のように録画することを予めユーザが設定しておくようないわゆる予約録画の場合は、予約録画制御部８が所定の時刻にテープドライブ部４へ録画を指示する。録画ボタンも予約録画制御部８に接続され、録画ボタンからの指示は予約録画制御部８に入力され、録画再生制御回路３を経由して信号処理部４ｄを制御し、信号処理部４ｄを録画状態に設定する。
【００２２】
また、通常、ヘリカルスキャン型のビデオテープレコーダはリニアトラック上にサーボ信号のためのコントロールパルスを記録する。これは録画再生制御回路３からの信号をサーボ用のＩＣが受けコントロールパルスを作成し記録部４ｂを通し記録している。録画再生装置において受信していたのは映像音声信号、文字信号のみであるが、磁気テープ上に映像音声信号以外に記録されるのにＶＩＳＳ信号、ＶＡＳＳ信号がある。ＶＩＳＳ信号、ＶＡＳＳ信号はコントロールトラック上に記録される。これらの信号はコントロールパルス（デューティ比は５０パーセント）のデューティを５０パーセントからずらすことによって、“１”、“０”の信号を記録し、コードを２進数としてシリアルに記録する。
【００２３】
一般に、磁気テープの走行時間（記録または再生時間）の検出は走行時に、磁気テープ長手方向に記録部４ｂで記録されたテープ上の時間情報を用いて行なわれる。図２は実施の形態にかかわる磁気テープＭ上の記録トラックを模式的に示す図である。信号が記録された磁気テープＭは音声トラック、映像トラック、コントロールトラックを有する。音声トラックには音声ヘッド（図示されず）により音声信号が記録され、映像トラックにはシリンダヘッド（図示されず）により映像信号が記録され、コントロールトラックはコントロールヘッド（図示されず）によりコントロールパルスが記録される。
【００２４】
図２の（ａ）は記録された信号を模式的に示している。シリンダヘッドは３０回転／秒で回転しながら映像信号を記録し、シリンダヘッドが１回転する毎にコントロールパルスが１パルス記録される。図２の（ｂ）はコントロールパルスの再生波形を示す。テープ再生時、コントロールパルスの周期が常に一定になるように、テープ走行速度が制御される。サーボ情報として必要な情報は立ち上がりエッジａａのタイミングのみである。
【００２５】
従来、ＶＨＳ（登録商標）方式の家庭用ビデオテープレコーダでは、コントロールパルスのデューティ比を可変してサーボ情報以外の情報を記録する手段として番組の頭出し情報等を記録するＶＩＳＳ・ＶＡＳＳ方式がある。ＶＡＳＳ方式ではサーボ情報として不要な立ち下がりエッジを用いるべくコントロールパルスのデューティ比を可変して情報を記録している。例えば６０％デューティ比のコントロールパルスは“０”を、２７．５％デューティ比のコントロールパルスは“１”を意味し、これら組み合わせにより番組の頭出し情報や番情報等を記録している。
【００２６】
図３は、実施の形態に係る録画再生装置における予約録画の動作手順を示すフローチャートである。放送番組を予約録画するためには、先ず予約録画情報入力部６から予約録画番組情報を入力し、入力情報を予約録画情報記憶部７に記憶する。予約番組は１つに限らず、複数の番組を予約可能である。従来は、予約録画を実行するためには、録画用の磁気テープを装填後、録画開始位置を頭出ししてから、頭出し位置が変化してしまうことを防止するために、タイマ入／切ボタン１５を押してタイマ待機モードとすることが要求されている。タイマ待機モードではメイン電源部１１がオフされる。メイン電源部１１は予約録画開始時刻が来るまでオフのままであるので、この間は再生動作あるいは録画動作は禁止される。このため、テープの頭出し位置がずれることが防止される。しかしながら、テープを装填後必ずタイマ待機モードとすると不便な場合もあるので、本実施形態では、テープ装填・頭出し後、予約録画開始時刻が来るまでの間、メイン電源部１１をオフしないで、頭出し位置を保存した状態で録画再生動作を可能とするモード（以下、このモードをオートモードと称する）もサポートしている。すなわち、先ず磁気テープの頭出し位置に位置信号を記録し、この後予約録画開始時までに録画再生を行い頭出し位置がずれたとしても、予約録画開始時には頭出し位置（指定された録画開始位置）を検索して、その位置に戻してから録画を開始させるものである。
【００２７】
具体的には、ステップＳ１０２で、録画再生装置に磁気テープＭを装填して、磁気テープＭを再生して録画内容を確認しながら録画開始位置の頭出しを行う。
【００２８】
ステップＳ１０４で、予約録画情報入力部６を用いて予約録画情報（録画を予約したいＴＶ放送番組のチャンネル及び放送予定時刻（開始時刻及び終了時刻））を入力する。入力された予約録画情報は予約録画制御部８の制御の下で予約録画情報記憶部７に記憶される。予約録画情報記憶部７の内容の一例を表１に示す。ＶＡＳＳ信号は後述するように、オートモードの時に記憶される。
【表１】
2006140948.tif 000003
【００２９】
なお、ステップＳ１０２とステップＳ１０４の実行順序は逆でもよい。さらに、ステップＳ１０４の予約録画情報入力は本フローチャートのスタート前に予め行っておいてもよい。
【００３０】
上述したように、本実施形態では、タイマ待機モードへの移行／クリアを指定するタイマ入／切ボタン１５の操作をタイマ待機設定部５により選択的に「無効」とすることができる。この選択は、例えば、オンスクリーンメニュー（ＶＴＲの種々の設定画面）を用いて、テープ長（記録時間）、ノイズリダクションのオン／オフ、ＣＭのオートスキップのオン／オフとともに、予め行っておく。タイマ入／切ボタン１５の操作が「無効」とされた状態でボタン１５が押されると、オートモードとされる。
【００３１】
ステップＳ１０６で、タイマ入／切ボタン１５が操作されたか否かを判定する。操作された場合は、ステップＳ１０８で、タイマ入／切ボタン１５の操作が「有効」に設定されているか否かを判定する。「有効」に設定されている場合は、ステップＳ１３２でタイマ待機モードとされる。タイマ待機モードではメイン電源部１１をオフする。
【００３２】
ステップＳ１３４で、予約録画制御部８はタイマ９の計時時刻が予約録画情報記憶部７に記憶されている予約録画開示時刻になったか否かを判定する。判定がイエスになる（予約録画開示時刻になる）までステップＳ１３２、Ｓ１３２が繰り返される。
【００３３】
予約録画開始時刻になると、ステップＳ１３６で、予約録画情報記憶部７に記憶されているチャンネルの放送番組の録画が開始される。
【００３４】
ステップＳ１３８で、予約録画制御部８はタイマ９の計時時刻が予約録画情報記憶部７に記憶されている予約録画終了時刻になったか否かを判定する。判定がイエスになる（予約録画終了時刻になる）まで録画が続けられる。
【００３５】
予約録画終了時刻になると、ステップＳ１４０で、録画を終了し、当該予約録画番組情報を消去するとともに、予約録画情報記憶部７に未録画の予約録画情報が残っているか否かを判定する。残っていない場合は、終了する。残っている場合は、ステップＳ１１２に戻る。ステップＳ１１２以降の処理はオートモードの処理である。
【００３６】
ステップＳ１０８でタイマ入／切ボタン１５の操作が「無効」に設定されている場合は、ステップＳ１１２に進み、オートモードとされる。
【００３７】
ステップＳ１０６で、タイマ入／切ボタン１５の操作が検出されない場合は、ステップＳ１１０で、ステップＳ１０４の予約録画情報入力が完了してから一定時間経過したか否か判定され、一定時間の経過が検出されると、ステップＳ１１２に進み、オートモードとされる。
【００３８】
ステップＳ１１２で、一番早い録画開始時間を持つ予約録画情報に対応した識別情報、例えばＶＡＳＳデータが生成される。
【００３９】
ステップＳ１１４で、このＶＡＳＳデータが位置情報生成記憶処理部３ａの指示で予約録画制御部８に入力され、表１に示すように、予約録画情報記憶部７に記憶される。とともに、このＶＡＳＳデータが位置情報生成記録処理部３ｂの指示でテープドライブ部４の記録部４ｂに入力され磁気テープＭに記録される。このため、頭出し位置にＶＡＳＳデータが記録されるとともに、対応するＶＡＳＳデータが予約録画情報記憶部７に記憶される。
【００４０】
ステップＳ１１６で、通常の動作（録画・再生）を許可する。
【００４１】
ステップＳ１１８で、予約録画制御部８はタイマ９の計時時刻が予約録画情報記憶部７に記憶されている予約録画開示時刻より所定時間（例えば５分）前の時刻になったか否かを判定する。判定がイエスになる（予約録画開示時刻の所定時間前になる）までステップＳ１１８が繰り返される。
【００４２】
予約録画開示時刻の所定時間前の時刻になると、ステップＳ１２０で「タイマ待機準備に入ります（ので、通常の動作は禁止します）」というメッセージを通知する。
【００４３】
ステップＳ１２２で、通常の動作を禁止し、タイマ待機モードの準備に入る。
【００４４】
オートモードでは通常の動作が許可されていたので、この間にテープが移動し、頭出しした録画開始位置がずれている可能性があるため、ステップＳ１２４で、テープドライブ部４は録画開始位置の頭出しを行うために高速サーチでＶＡＳＳデータの検出を行う。
【００４５】
ステップＳ１２６で、この高速サーチでＶＡＳＳデータが検出されたか否かを判定する。検出されない場合は、テープが取り替えられた、あるいは録画開始位置が上書きされてしまった可能性があり、ステップＳ１２８でエラーメッセージを表示しして終了する。
【００４６】
ＶＡＳＳデータが検出された場合は、ステップＳ１３０で、予約録画情報記憶部７に記憶されているＶＡＳＳデータの中で一致するものがあるか否か判定する。同一のものが無い場合は、ステップＳ１２８でエラーメッセージを表示しして終了する。
【００４７】
一致するものがある場合は、ステップＳ１３２でタイマ待機モードとされる。この後の動作は上述した通りである。
【００４８】
以上説明したように、第１の実施の形態によれば、テープ装填・頭出し後の予約待機中に頭出し位置を保存し、待機中に録画再生動作を可能とするオートモードを実現することができる。予約録画開始前に頭出し位置を検索して、その位置に戻してから録画を開始させるので、待機中にテープが移動しても、録画開始位置から正しく録画できる。このオートモードの指定は、タイマ待機モードへの移行／クリアを指定するタイマ入／切ボタン１５の操作をタイマ待機設定部５により「無効」とした状態で、タイマ入／切ボタン１５の操作により行われる。あるいは、テープ装填・頭出し／予約録画情報の入力後、タイマ入／切ボタン１５を一定時間操作しない場合は、自動的にオートモードとされる。また、オートモードの時に、ユーザが再生しながら指定したテープの位置にダイレクトにＶＡＳＳ信号を記録するため、録画場所の設定が短時間で容易に可能となる。このことにより、タイマ待機設定から録画開始まで自由に再生させることが可能となり、従来出来なかった不便さが解消される。さらに、ＶＡＳＳ信号を記録する録画開始位置はユーザが指定するので、既録画テープにおいて誤って上書きすることも防止できる。
【００４９】
この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。  本発明は上述した実施の形態に限定されず、種々変形して実施可能である。例えば、上述の説明では、位置信号としてＶＡＳＳ信号を説明したが、ＶＩＳＳ信号、あるいはコントロールパルスと区別できる他の信号でもよい。
【図面の簡単な説明】
【００５０】
【図１】本発明の一実施の形態による録画再生装置の概略構成を示すブロック図。
【図２】一実施の形態で使われるＶＩＳＳ・ＶＡＳＳ方式の位置情報を説明する図。
【図３】一実施の形態の予約録画動作の動作手順を示すフローチャート。
【符号の説明】
【００５１】
３…録画再生制御回路、４…テープドライブ部、５…タイマ待機設定部、６…予約録画情報入力部、７…予約録画情報記憶部、８…予約録画制御部、９…タイマ、１０…映像・音声出力部、１１…メイン電源部、１２…スタンバイ電源部、１５…タイマ入／切ボタン、Ｍ…磁気テープ
【図１】
2006140948.tif 000004
【図２】
2006140948.tif 000005
【図３】
2006140948.tif 000006